(57)【特許請求の範囲】
【請求項１】
紙葉類についている癖を軽減して搬送する紙葉類癖軽減装置において、
紙葉類を挟持して搬送する第１搬送ローラと、
前記第１搬送ローラの搬送速度より大きい搬送速度で回転し、前記第１搬送ローラの側から搬送されてくる前記紙葉類を挟持して搬送する第２搬送ローラと、
前記第１搬送ローラと前記第２搬送ローラとの間に配置され、前記紙葉類の先端側が前記第２搬送ローラによって挟持されかつ前記紙葉類の後端側が前記第１搬送ローラによって挟持されたときに、前記紙葉類に押し当てられるしごき部材と、
を有し、
前記しごき部材は、前記紙葉類の面に、前記紙葉類の搬送方向と直交する向きに側縁部が押し当てられる、板状のしごきガイドであり、
前記紙葉類の搬送方向上流側で側縁部が前記紙葉類の一方の面に押し当てられる一のしごきガイドと、前記紙葉類の搬送方向下流側で側縁部が前記紙葉類の他方の面に押し当てられる他のしごきガイドとを有することを特徴とする紙葉類癖軽減装置。
【請求項２】
紙葉類についている癖を軽減して搬送する紙葉類癖軽減装置において、
紙葉類を挟持して搬送する第１搬送ローラと、
前記第１搬送ローラの搬送速度より大きい搬送速度で回転し、前記第１搬送ローラの側から搬送されてくる前記紙葉類を挟持して搬送する第２搬送ローラと、
前記第１搬送ローラと前記第２搬送ローラとの間に配置され、前記紙葉類の先端側が前記第２搬送ローラによって挟持されかつ前記紙葉類の後端側が前記第１搬送ローラによって挟持されたときに、前記紙葉類に押し当てられるしごき部材と、
を有し、
前記しごき部材は、前記紙葉類の一方の面と他方の面とにそれぞれ押し当てられて前記紙葉類の搬送方向と反対の方向に回転する一対のしごきローラであることを特徴とする紙葉類癖軽減装置。
【請求項３】
前記しごきローラは、前記紙葉類が搬送される経路において接触するように配置されていることを特徴とする請求項２記載の紙葉類癖軽減装置。
【請求項４】
紙葉類についている癖を軽減して搬送する紙葉類癖軽減装置において、
紙葉類を挟持して搬送する第１搬送ローラと、
前記第１搬送ローラの搬送速度より大きい搬送速度で回転し、前記第１搬送ローラの側から搬送されてくる前記紙葉類を挟持して搬送する第２搬送ローラと、
前記第１搬送ローラと前記第２搬送ローラとの間に配置され、前記紙葉類の先端側が前記第２搬送ローラによって挟持されかつ前記紙葉類の後端側が前記第１搬送ローラによって挟持されたときに、前記紙葉類に押し当てられるしごき部材と、
を有し、
前記しごき部材は、前記紙葉類が搬送される経路において、互いにオーバーラップさせながら接触するように配置された３つ以上のしごきローラであることを特徴とする紙葉類癖軽減装置。
【請求項５】
前記しごきローラは、前記紙葉類の搬送方向と反対の方向に回転することを特徴とする請求項４記載の紙葉類癖軽減装置。
【発明の詳細な説明】
【０００１】
【発明の属する技術分野】
本発明は紙葉類癖軽減装置に関し、特に紙幣などの紙葉類を収納および返却する紙葉類処理装置にあって、紙葉類についている折れ、曲がり、皺などの癖を軽減して搬送する紙葉類癖軽減装置に関する。
【０００２】
【従来の技術】
ＡＴＭ（Automated Teller Machine）をはじめ、紙幣などの紙葉類を取り扱う装置には、紙葉類の収納および返却を行う紙葉類処理装置が搭載されており、紙葉類処理装置に投入された紙葉類は、収納庫に収納されるようになっている。そして、必要に応じて、収納庫に収納されている紙葉類を返却したりあるいは投入された紙葉類をそのまま利用者側に返却したりする。
【０００３】
このような紙葉類処理装置において、投入口から紙葉類が投入されると、その紙葉類は、投入口から装置内部へとその紙葉類を導く搬送路を、搬送ローラによって搬送され、その紙葉類の種別ごとに、各収納庫に収納される。
【０００４】
ところで、紙葉類処理装置へ投入される紙葉類には、折れ、曲がり、皺などの癖がついている場合がある。例えば、二つ折りなどの折りたたみ式の財布に入っていた紙幣に、折れ曲がった癖がついてしまっている場合などである。
【０００５】
このような癖のついた紙幣などの紙葉類は、収納庫に収納する際、あるいは搬送途中に、その先端が、収納庫に収納されている紙葉類や搬送路途中の構成部品に衝突してしまうことがある。その結果、紙葉類は、先端側が搬送を阻止された状態で後端側からは搬送力を加えられることにより、収納庫や狭い搬送路の中で詰まってしまうという状況が発生し得る。そのため、従来の紙葉類処理装置では、その搬送路に、紙葉類を、加熱した搬送ローラで圧接しながら搬送する癖修正機構を設け、癖を軽減した状態で搬送するようにしている。
【０００６】
【発明が解決しようとする課題】
しかしながら、従来の紙葉類処理装置に設けられている癖修正機構では、紙葉類を、加熱状態で圧接するために、搬送路途中に、搬送ローラのほかにその加熱機構を配置しなければならず、これにより、紙葉類処理装置が大型化するとともに、それを制御する制御機構が必要になるなど、装置自体の構造が複雑化してしまうという問題点があった。さらに、搬送ローラを加熱するための電力が必要になるという問題点もある。
【０００７】
本発明はこのような点に鑑みてなされたものであり、紙葉類についている癖を軽減して搬送することのできる簡単な構造の紙葉類癖軽減装置を提供することを目的とする。
【０００８】
【課題を解決するための手段】
本発明では上記問題を解決するために、紙葉類についている癖を軽減して搬送する紙葉類癖軽減装置において、紙葉類を挟持して搬送する第１搬送ローラと、前記第１搬送ローラの搬送速度より大きい搬送速度で回転し、前記第１搬送ローラの側から搬送されてくる前記紙葉類を挟持して搬送する第２搬送ローラと、前記第１搬送ローラと前記第２搬送ローラとの間に配置され、前記紙葉類の先端側が前記第２搬送ローラによって挟持されかつ前記紙葉類の後端側が前記第１搬送ローラによって挟持されたときに、前記紙葉類に押し当てられるしごき部材と、を有し、前記しごき部材は、前記紙葉類の面に、前記紙葉類の搬送方向と直交する向きに側縁部が押し当てられる、板状のしごきガイドであり、前記紙葉類の搬送方向上流側で側縁部が前記紙葉類の一方の面に押し当てられる一のしごきガイドと、前記紙葉類の搬送方向下流側で側縁部が前記紙葉類の他方の面に押し当てられる他のしごきガイドとを有することを特徴とする紙葉類癖軽減装置が提供される。
【０００９】
このような紙葉類癖軽減装置によれば、搬送されてきた紙葉類が、その後端側と先端側を、それぞれ第１搬送ローラとこれより大きな搬送速度で回転する第２搬送ローラによって挟持され、撓まない状態で搬送されるとともに、その際、しごき部材である板状のしごきガイドの側縁部がその紙葉類の一方の面と他方の面にそれぞれ押し当てられながら搬送されることで紙葉類がしごかれる。これにより、簡素化された構造の紙葉類癖軽減装置により、紙葉類についている折れ、曲がり、皺などの癖の軽減が図られる。
【００１０】
また、本発明では、紙葉類についている癖を軽減して搬送する紙葉類癖軽減装置において、紙葉類を挟持して搬送する第１搬送ローラと、前記第１搬送ローラの搬送速度より大きい搬送速度で回転し、前記第１搬送ローラの側から搬送されてくる前記紙葉類を挟持して搬送する第２搬送ローラと、前記第１搬送ローラと前記第２搬送ローラとの間に配置され、前記紙葉類の先端側が前記第２搬送ローラによって挟持されかつ前記紙葉類の後端側が前記第１搬送ローラによって挟持されたときに、前記紙葉類に押し当てられるしごき部材と、を有し、前記しごき部材は、前記紙葉類の一方の面と他方の面とにそれぞれ押し当てられて前記紙葉類の搬送方向と反対の方向に回転する一対のしごきローラであることを特徴とする紙葉類癖軽減装置が提供される。
【００１１】
このような紙葉類癖軽減装置によれば、一対のしごきローラが、紙葉類の一方の面と他方の面に押し当てられ、紙葉類の搬送方向と反対方向に回転し、それにより、しごきローラの間を通過する紙葉類がしごかれる。
【００１２】
さらに、本発明では、紙葉類についている癖を軽減して搬送する紙葉類癖軽減装置において、紙葉類を挟持して搬送する第１搬送ローラと、前記第１搬送ローラの搬送速度より大きい搬送速度で回転し、前記第１搬送ローラの側から搬送されてくる前記紙葉類を挟持して搬送する第２搬送ローラと、前記第１搬送ローラと前記第２搬送ローラとの間に配置され、前記紙葉類の先端側が前記第２搬送ローラによって挟持されかつ前記紙葉類の後端側が前記第１搬送ローラによって挟持されたときに、前記紙葉類に押し当てられるしごき部材と、を有し、前記しごき部材は、前記紙葉類が搬送される経路において、互いにオーバーラップさせながら接触するように配置された３つ以上のしごきローラであることを特徴とする紙葉類癖軽減装置が提供される。
【００１３】
このような紙葉類癖軽減装置によれば、３つ以上のしごきローラが、互いにオーバーラップするようにして接触して搬送路に配置され、紙葉類に押し当てられ、それにより、しごきローラの間を通過する紙葉類がしごかれる。
【００１４】
【発明の実施の形態】
以下、本発明の実施の形態を、紙幣を収納・返却する紙幣処理装置の紙幣癖軽減装置に適用した場合を例に図面を参照して詳細に説明する。
【００１５】
まず、第１の実施の形態について説明する。図１は第１の実施の形態に係る紙幣癖軽減装置の概略の側面図である。
第１の実施の形態の紙幣癖軽減装置１０は、搬送されてくる搬送紙幣２０を挟持して取り込む一対の第１搬送ローラ１１ａ，１１ｂと、この第１搬送ローラ１１ａ，１１ｂの搬送方向下流側に配置されて、第１搬送ローラ１１ａ，１１ｂから搬送されてくる搬送紙幣２０を挟持して繰り出す一対の第２搬送ローラ１２ａ，１２ｂとを有している。
【００１６】
この第１搬送ローラ１１ａ，１１ｂと、第２搬送ローラ１２ａ，１２ｂとの間には、搬送紙幣２０が搬送される搬送路１３を構成する搬送ガイド１３ａ，１３ｂが配置されている。
【００１７】
そして、この搬送路１３の途中には、しごき部材として、側縁部が搬送路１３内に進入するように配置された板状のしごきガイド１４が設けられている。この搬送路１３内に進入しているしごきガイド１４の側縁部先端のしごき部１４ａは、搬送紙幣２０の一方の面の側から紙幣搬送方向と直交する向きに配置されている。しごきガイド１４は、搬送路１３内に進入している部分が、紙幣搬送方向に傾いた状態となるように形成されていて、第１搬送ローラ１１ａ，１１ｂから搬送されてくる搬送紙幣２０が、しごきガイド１４のしごき部１４ａの側を確実に通過できるようになっている。
【００１８】
紙幣癖軽減装置１０の下流側には、第２搬送ローラ１２ａ，１２ｂ通過後の搬送紙幣２０を収納する収納庫３０が配置されている。
上記構成の紙幣癖軽減装置１０において、癖のついた搬送紙幣２０が搬送されてくると、搬送紙幣２０は、最初に、紙幣搬送方向に回転する第１搬送ローラ１１ａ，１１ｂに挟持されて搬送路１３内に取り込まれる。
【００１９】
搬送紙幣２０は、第１搬送ローラ１１ａ，１１ｂによってさらに搬送され、第１搬送ローラ１１ａ，１１ｂを通過したその先端側は、しごきガイド１４を通過し、第２搬送ローラ１２ａ，１２ｂの側へと搬送される。
【００２０】
この搬送紙幣２０の先端が、紙幣搬送方向に回転する第２搬送ローラ１２ａ，１２ｂまで到達すると、搬送紙幣２０は、第２搬送ローラ１２ａ，１２ｂに挟持され、その下流の収納庫３０の側へ繰り出される。
【００２１】
このとき、搬送紙幣２０の後端側は、まだ第１搬送ローラ１１ａ，１１ｂに挟持された状態にあり、搬送紙幣２０は、その先端側および後端側をそれぞれ挟持され、その間の部分に、しごきガイド１４のしごき部１４ａが押し当てられた状態になる。この状態で、搬送紙幣２０が搬送されることにより、搬送紙幣２０は、しごき部１４ａを通過する部分の折れ、曲がり、皺などの癖が軽減されるようになる。
【００２２】
このような紙幣癖軽減装置１０で、搬送紙幣２０についている癖が軽減される程度は、搬送紙幣２０の先端側および後端側が挟持されてしごき部１４ａが押し当てられた状態における搬送紙幣２０のしごき角度、すなわち、図１に示したしごき角度αに依存する。このしごき角度αは、しごきガイド１４の搬送路１３内に進入する部分の傾斜角度を変化させるなどの方法で、変化させることができる。
【００２３】
さらに、搬送紙幣２０の癖が軽減される程度は、第１搬送ローラ１１ａ，１１ｂおよび第２搬送ローラ１２ａ，１２ｂの、それぞれの搬送速度によっても変化する。
【００２４】
次に、これらしごき角度、第１搬送ローラ１１ａ，１１ｂおよび第２搬送ローラ１２ａ，１２ｂの搬送速度が、搬送紙幣２０の癖が軽減される程度に与える影響について、具体的に説明する。
【００２５】
図２は癖のついた搬送紙幣の外観の概略図である。搬送紙幣２０は、その中央付近で折れ曲がった形状としており、ここでは、二つ折りの財布に入れられていた紙幣の場合を想定し、搬送紙幣２０においてその高低差が最も大きい部分の高さ（以下「癖高さ」という。）Ｈを５６ｍｍとして、第１の実施の形態の紙幣癖軽減装置１０で使用する。
【００２６】
図３はしごき角度としごき後の癖高さとの関係を示す図である。また、図４は図３で示した各癖高さでの搬送紙幣の外観の概略図であって、（ａ）はしごき角度１４５度のとき、（ｂ）はしごき角度１４０度のとき、（ｃ）はしごき角度１３０度のとき、（ｄ）はしごき角度１２０度のときの搬送紙幣の外観の概略を示している。
【００２７】
図３では、しごき角度αを１２０度から１４５度の間で変化させ、それぞれのしごき角度αで搬送紙幣２０を通過させたときの、しごき後の癖高さＨを３回ずつ測定した結果を示している。図３の調査結果より、しごき角度αが小さくなるにつれて癖高さＨが減少し、搬送紙幣２０についている癖が軽減される程度が大きくなる。
【００２８】
搬送紙幣２０の形状は、図４に示すように、各しごき角度αで種々の形状を有し、紙幣癖軽減装置１０の大きさやこれが搭載される紙幣処理装置での配置場所、あるいは紙幣癖軽減装置１０の下流側にある収納庫３０付近に配置される他の装置およびこれらの構成部品の大きさやその配置場所などを考慮して、使用可能なしごき角度αを、適当に選択することができる。
【００２９】
図５は第１搬送ローラおよび第２搬送ローラの搬送速度と癖高さとの関係を示す図である。
図１に示した第１搬送ローラ１１ａ，１１ｂと第２搬送ローラ１２ａ，１２ｂとに挟持された搬送紙幣２０を、搬送中に、撓ませないようにするためには、第２搬送ローラ１２ａ，１２ｂの搬送速度Ｖ２を、第１搬送ローラ１１ａ，１１ｂの搬送速度Ｖ１と同じかまたは大きくする必要がある。図５では、搬送速度Ｖ１を２００ｍｍ／ｓで一定とし、それに対して搬送速度Ｖ２を２２０ｍｍ／ｓ、２５０ｍｍ／ｓと大きくした場合について、それぞれ３回ずつ測定した結果を示している。ただし、この場合においては、癖のついていない搬送紙幣２０を使用し、しごき後にその搬送紙幣２０に生じる癖高さＨを測定した結果を示している。
【００３０】
図５の測定結果より、第１搬送ローラ１１ａ，１１ｂの搬送速度Ｖ１と第２搬送ローラ１２ａ，１２ｂの搬送速度Ｖ２との速度差を大きく設定した場合のほうが、癖のついていない搬送紙幣２０のしごき後の癖高さＨが高くなる。すなわち、癖のついた搬送紙幣２０がしごかれた場合には、搬送速度Ｖ１，Ｖ２の差が大きい方が、癖が軽減される効果が大きくなるといえる。
【００３１】
以上説明したように、第１の実施の形態の紙幣癖軽減装置１０によれば、第１搬送ローラ１１ａ，１１ｂと第２搬送ローラ１２ａ，１２ｂとの間にしごきガイド１４を配置し、搬送紙幣２０がその先端側と後端側を挟持された状態で搬送される際、しごきガイド１４のしごき部１４ａが、搬送紙幣２０に押し当てられることで、搬送紙幣２０についている癖が軽減される。これにより、紙幣処理装置に加熱機構などを設けることなく、簡単な構造の紙幣癖軽減装置１０によって、搬送紙幣２０の癖を軽減することができる。
【００３２】
次に、第２の実施の形態について説明する。図６は第２の実施の形態に係る紙幣癖軽減装置の概略の側面図である。ただし、図６では、図１に示した構成要素と同一の要素については同一の符号を付してある。
【００３３】
第２の実施の形態の紙幣癖軽減装置４０は、しごき部材として、第１の実施の形態の紙幣癖軽減装置１０に、さらに別のしごきガイドを有する構成になっている。
【００３４】
紙幣癖軽減装置４０は、第１しごきガイド１４に対向配置された板状の第２しごきガイド４４を有している。この第２しごきガイド４４は、その側縁部先端の第２しごき部４４ａが搬送路１３内に進入するように配置されているとともに、第２しごき部４４ａが第１しごき部１４ａの紙幣搬送方向下流側に位置するよう配置されている。第２しごきガイド４４は、第１しごきガイド１４の第１しごき部１４ａが搬送紙幣２０の一方の面の側をしごくのに対し、その他方の面の側を第２しごき部４４ａでしごくよう、搬送紙幣２０の他方の面の側から、紙幣搬送方向と直交する向きに配置される。また、第２しごきガイド４４は、第１しごきガイド１４と同様、搬送路１３内に進入している部分が、紙幣搬送方向に傾いた状態となるように形成されている。
【００３５】
上記構成の紙幣癖軽減装置４０において、癖のついた搬送紙幣２０が搬送されてくると、搬送紙幣２０は、紙幣搬送方向に回転する第１搬送ローラ１１ａ，１１ｂに挟持されて搬送路１３内に取り込まれ、その先端側が第１しごき部１４ａ、第２しごき部４４ａを順に通過し、第２搬送ローラ１２ａ，１２ｂの側へと搬送される。この搬送紙幣２０の先端が、紙幣搬送方向に回転する第２搬送ローラ１２ａ，１２ｂまで到達すると、搬送紙幣２０は、第２搬送ローラ１２ａ，１２ｂに挟持され、その下流側へ送り出される。
【００３６】
このとき、搬送紙幣２０の後端側は、まだ第１搬送ローラ１１ａ，１１ｂに挟持された状態にあり、搬送紙幣２０は、その先端側および後端側をそれぞれ挟持されている。さらに、その間の部分には、第１しごき部１４ａ、第２しごき部４４ａが、搬送紙幣２０のそれぞれの面に押し当てられた状態になる。この状態で、搬送紙幣２０が搬送されることにより、搬送紙幣２０は、第１しごき部１４ａ、第２しごき部４４ａを通過する部分の折れ、曲がり、皺などの癖が軽減されるようになる。
【００３７】
このような紙幣癖軽減装置４０によれば、第１しごき部１４ａ通過後に、搬送紙幣２０の一方の面の側に残っている癖を、他方の面の側に設けた第２しごき部４４ａによってさらに軽減することができるようになり、搬送紙幣２０についた癖の両面の偏りを少なくすることができ、搬送をより円滑に行えるようになる。
【００３８】
また、第１の実施の形態で述べたしごき角度α、搬送速度Ｖ１，Ｖ２がしごき後の搬送紙幣２０の癖高さＨに与える影響は、第２の実施の形態の紙幣癖軽減装置４０においても同様の傾向となる。
【００３９】
なお、第２の実施の形態の紙幣癖軽減装置４０では、第１しごきガイド１４と第２しごきガイド４４の２つのしごきガイドを設ける構成としたが、数はこれに限定されるものではなく、これより多くても構わない。その場合、各しごきガイドのしごき部が、搬送方向上流側から順に、搬送紙幣２０のそれぞれの面に交互に配置されるようにすることで、効果的に搬送紙幣２０についている癖を軽減することができるようになる。
【００４０】
次に、第３の実施の形態について説明する。図７は第３の実施の形態に係る紙幣癖軽減装置の概略の側面図である。ただし、図７では、図１に示した構成要素と同一の要素については同一の符号を付してある。なお、図７では、搬送ガイドは省略して示している。
【００４１】
第３の実施の形態の紙幣癖軽減装置５０は、第１搬送ローラ１１ａ，１１ｂと第２搬送ローラ１２ａ，１２ｂとの間に、しごき部材として、搬送紙幣２０の搬送方向と反対の方向に互いに接触することなく回転する一対のしごきローラ５４ａ，５４ｂが配置されている。このしごきローラ５４ａ，５４ｂは、第１搬送ローラ１１ａ，１１ｂおよび第２搬送ローラ１２ａ，１２ｂよりも小さな摩擦係数の材質で形成されている。
【００４２】
しごきローラ５４ａ，５４ｂは、搬送紙幣２０の待機状態にあっては、搬送路内から退避しており、搬送紙幣２０の先端が、第２搬送ローラ１２ａ，１２ｂに到達して挟持された時点で、搬送紙幣２０のそれぞれの面の側から搬送路内に進入するようになっている。
【００４３】
上記構成の紙幣癖軽減装置５０において、癖のついた搬送紙幣２０が搬送されてくると、搬送紙幣２０は、紙幣搬送方向に回転する第１搬送ローラ１１ａ，１１ｂに挟持されて搬送路内に取り込まれる。そして、紙幣搬送方向に回転する第２搬送ローラ１２ａ，１２ｂまで到達すると、搬送紙幣２０は、第２搬送ローラ１２ａ，１２ｂに挟持され、その下流側へ送り出される。
【００４４】
その際、この搬送紙幣２０の先端が、第２搬送ローラ１２ａ，１２ｂに挟持された時点で、しごきローラ５４ａ，５４ｂが、搬送紙幣２０のそれぞれの面の側から搬送路内に進入し、紙幣搬送方向と反対の方向に回転する。
【００４５】
搬送紙幣２０は、その先端側および後端側をそれぞれ挟持された状態で、その間の部分を、しごきローラ５４ａ，５４ｂによってしごかれ、ここを通過する部分の折れ、曲がり、皺などの癖が軽減されるようになる。
【００４６】
次に、第４の実施の形態について説明する。図８は第４の実施の形態に係る紙幣癖軽減装置の概略の側面図である。ただし、図８では、図１に示した構成要素と同一の要素については同一の符号を付してある。なお、図８では、搬送ガイドは省略して示している。
【００４７】
第４の実施の形態の紙幣癖軽減装置６０には、第１搬送ローラ１１ａ，１１ｂと第２搬送ローラ１２ａ，１２ｂとの間に、しごき部材として、回転しない３つのしごきローラ６４ａ，６４ｂ，６４ｃが配置されている。
【００４８】
このしごきローラ６４ａ，６４ｂ，６４ｃは、第１搬送ローラ１１ａ，１１ｂの側からこの順で、かつ、互いにオーバーラップした状態で配置されていて、しごきローラ６４ａ，６４ｃは、しごきローラ６４ｂと搬送路内で接触可能に配置されている。このしごきローラ６４ａ，６４ｂ，６４ｃは、第１搬送ローラ１１ａ，１１ｂおよび第２搬送ローラ１２ａ，１２ｂよりも小さな摩擦係数の材質で形成されている。
【００４９】
しごきローラ６４ａ，６４ｂ，６４ｃは、搬送紙幣２０の待機状態にあっては、搬送路内から退避している。そして、搬送紙幣２０の先端が、第２搬送ローラ１２ａ，１２ｂに到達して挟持された時点で、しごきローラ６４ａ，６４ｃは、搬送紙幣２０の一方の面の側から、しごきローラ６４ｂは、搬送紙幣２０の他方の面の側から、それぞれ搬送路内に進入するようになっている。
【００５０】
上記構成の紙幣癖軽減装置６０において、搬送紙幣２０は、その先端側および後端側をそれぞれ挟持された状態で、その間の部分が、しごきローラ６４ａ，６４ｂの間、しごきローラ６４ｂ，６４ｃの間を通過する際にしごかれ、この部分の折れ、曲がり、皺などの癖が軽減されるようになる。
【００５１】
次に、第５の実施の形態について説明する。図９は第５の実施の形態に係る紙幣癖軽減装置の概略の側面図である。ただし、図９では、図１に示した構成要素と同一の要素については同一の符号を付してある。なお、図９では、搬送ガイドは省略して示している。
【００５２】
第５の実施の形態の紙幣癖軽減装置７０は、しごき部材として、第４の実施の形態の紙幣癖軽減装置６０が備えるしごきローラ６４ａ，６４ｂ，６４ｃを、それぞれ紙幣搬送方向と反対の方向に回転するしごきローラ７４ａ，７４ｂ，７４ｃとした構成になっている。このしごきローラ７４ａ，７４ｂ，７４ｃは、第１搬送ローラ１１ａ，１１ｂおよび第２搬送ローラ１２ａ，１２ｂよりも小さな摩擦係数の材質で形成されている。
【００５３】
このような紙幣癖軽減装置７０において、搬送紙幣２０は、その先端側および後端側をそれぞれ挟持された状態で、その間の部分が、しごきローラ７４ａ，７４ｂの間、しごきローラ７４ｂ，７４ｃの間を通過する際にしごかれ、この部分の折れ、曲がり、皺などの癖が、より効率的に軽減されるようになる。これにより、搬送途中の紙幣の詰まりを防止できる。
【００５４】
なお、上記の第３、第４および第５の実施の形態の紙幣癖軽減装置５０，６０，７０においては、搬送紙幣２０の待機状態で、各しごきローラを搬送路内から退避させている構成としたが、搬送紙幣２０の待機状態でも、これらを搬送路内に配置しておくようにしてもよい。この場合、第１搬送ローラ１１ａ，１１ｂの側から搬送されてくる搬送紙幣２０は、その搬送力によって、各しごきローラの間を、図示しない搬送ガイドにガイドされながら移動する。その際、第３および第５の実施の形態の紙幣癖軽減装置５０，７０における回転するしごきローラの場合にあっては、搬送紙幣２０の先端が第２搬送ローラ１２ａ，１２ｂに挟持された時点で、各しごきローラの回転を開始するようにする。
【００５５】
また、上記の第４および第５の実施の形態の紙幣癖軽減装置６０，７０では、しごきローラを３つ配置する構成としたが、その数はこれに限定されるものではなく、これ以上であっても構わない。この場合も同様に、各しごきローラを、互いにオーバーラップさせながら搬送路内で接触するように配置する。
【００５６】
次に、第６の実施の形態について説明する。図１０は第６の実施の形態に係る紙幣癖軽減装置の概略の側面図である。ただし、図１０では、図１に示した構成要素と同一の要素については同一の符号を付してある。なお、図１０では、搬送ガイドは省略して示している。
【００５７】
第６の実施の形態の紙幣癖軽減装置８０は、搬送紙幣２０の搬送方向と反対の方向に回転可能な、しごき部材としてのしごきローラ８４ａ，８４ｂ、および第２搬送ローラ１２ａ，１２ｂを有している。このしごきローラ８４ａ，８４ｂは、第２搬送ローラ１２ａ，１２ｂよりも小さな摩擦係数の材質で形成するようにする。しごきローラ８４ａ，８４ｂは、搬送紙幣２０の待機状態では、搬送路内から退避しており、搬送紙幣２０の先端が、第２搬送ローラ１２ａ，１２ｂに到達して挟持された時点で、搬送路内に進入し、搬送方向と反対の方向に回転するようになっている。
【００５８】
このような紙幣癖軽減装置８０において、搬送紙幣２０の先端が第２搬送ローラ１２ａ，１２ｂに挟持された状態で、その後端側はしごきローラ８４ａ，８４ｂに挟持され、かつ、搬送方向と反対の方向の回転によってしごかれ、この部分の折れ、曲がり、皺などの癖が軽減されるようになる。これにより、紙幣癖軽減装置８０の構造をより簡素化することができる。
【００５９】
なお、この第６の実施の形態の紙幣癖軽減装置８０では、搬送紙幣２０の待機状態で、しごきローラ８４ａ，８４ｂは、搬送路内から退避している構成としたが、このしごきローラ８４ａ，８４ｂを、搬送紙幣２０の待機状態でも、搬送路内で接触させた状態で配置しておくようにしてもよい。この場合、しごきローラ８４ａ，８４ｂを停止させた状態で、搬送紙幣２０を、しごきローラ８４ａ，８４ｂの間を通過させ、その先端が第２搬送ローラ１２ａ，１２ｂに挟持された時点で、しごきローラ８４ａ，８４ｂの回転を開始するようにする。
【００６０】
以上説明したように、先端側および後端側が挟持されている紙幣の間で、しごき部材がその紙幣に押し当てられることで、その紙幣についている折れ、曲がり、皺などの癖を軽減されるようになる。
【００６１】
さらに、このような紙幣癖軽減装置が搭載された紙幣処理装置により、癖のついた状態で搬送されてくる紙幣を、安定して収納および返却することができるようになる。
【００６２】
【発明の効果】
以上説明したように、本発明では、紙葉類の後端側と先端側を、それぞれ第１搬送ローラとこれより大きな搬送速度で回転する第２搬送ローラによって挟持し、その際、しごき部材がその紙葉類に押し当てられる構成にした。これにより、紙葉類についている癖を軽減するための紙葉類癖軽減装置の構造を簡素化することができる。
【００６３】
また、このような紙葉類癖軽減装置が搭載された紙葉類処理装置により、搬送途中の紙葉類の詰まりが回避され、安定して収納および返却が行われるようになる。
【図面の簡単な説明】
【図１】第１の実施の形態に係る紙幣癖軽減装置の概略の側面図である。
【図２】癖のついた搬送紙幣の外観の概略図である。
【図３】しごき角度としごき後の癖高さとの関係を示す図である。
【図４】図３で示した各癖高さでの搬送紙幣の外観の概略図であって、（ａ）はしごき角度１４５度のとき、（ｂ）はしごき角度１４０度のとき、（ｃ）はしごき角度１３０度のとき、（ｄ）はしごき角度１２０度のときの搬送紙幣の外観を示している。
【図５】第１搬送ローラおよび第２搬送ローラの搬送速度と癖高さとの関係を示す図である。
【図６】第２の実施の形態に係る紙幣癖軽減装置の概略の側面図である。
【図７】第３の実施の形態に係る紙幣癖軽減装置の概略の側面図である。
【図８】第４の実施の形態に係る紙幣癖軽減装置の概略の側面図である。
【図９】第５の実施の形態に係る紙幣癖軽減装置の概略の側面図である。
【図１０】第６の実施の形態に係る紙幣癖軽減装置の概略の側面図である。
【符号の説明】
１０  紙幣癖軽減装置
１１ａ，１１ｂ  第１搬送ローラ
１２ａ，１２ｂ  第２搬送ローラ
１３  搬送路
１３ａ，１３ｂ  搬送ガイド
１４  しごきガイド
１４ａ  しごき部
２０  搬送紙幣
３０  収納庫
α  しごき角度
Ｖ１，Ｖ２  搬送速度
【図１】
0003628649.tif 000002
【図２】
0003628649.tif 000003
【図３】
0003628649.tif 000004
【図４】
0003628649.tif 000005
【図５】
0003628649.tif 000006
【図６】
0003628649.tif 000007
【図７】
0003628649.tif 000008
【図８】
0003628649.tif 000009
【図９】
0003628649.tif 000010
【図１０】
0003628649.tif 000011